(57)【要約】      （修正有）【課題】ひっくり返しを防止する子供用のお皿を提供する。【解決手段】ひっくり返しを防止する子供用のお皿１１は、装置本体９０１が上ベース１０と、下ベースと、お皿１１を含み、下ベースを机に置き、押し固定部品により、大気圧の作用のもとでゴム吸盤が机に密着し、下ベースがゴム吸盤を通じて机の上に密着することができ、子供が使用する時に下ベースを押して移動させることができない、子供がお皿を押し動かすことを防止し、上ベースと下ベースの間が連結された後、上下に移動でき、回転はできなく、回転する必要がある時に上ベースを上へ移動させてから回転することができる。そのため、子供がお皿を使用する時に、お皿が倒れなく、且つ移動できない。保護者がそばでお皿を回すことだけを助ければよく、家庭のニーズを満足できる。【選択図】図２
2020175052.tif 000002
【特許請求の範囲】
【請求項１】
装置本体を含み、前記装置本体が上ベースと、下ベースと、お皿を含み、前記上ベースと前記下ベースとの間には連結部品を通じて連結され、前記回転部品が連結ヘッドおよび連結回転ブロックを含み、前記下ベースの頂部端面には上に開口した連結回転溝が設けられ、前記連結回転溝底部にはガイドブロックが固定的に取り付けられ、前記連結回転ブロックが連結回転溝の中に挿入できるように取り付けられ、且つ、前記連結回転ブロックが前記ガイドブロックと回転できるように係合され、前記連結ヘッドが前記連結回転ブロックに挿入できるように係合されることができ、前記上ベースの底部端面には下に開口した第一連結溝が設けられ、前記第一連結溝の末端内壁には中心対称の固定環状溝が設けられ、前記第一連結溝および前記固定環状溝が前記連結ヘッドと挿入できるように係合されることができ、前記連結回転ブロックと前記連結回転溝との間には前記上ベースの回転を制御できる回転部品が設置され、前記回転部品が歯型ブロック及び前記連結回転溝の壁に固定的に取り付けられるリングギヤを含み、前記歯型ブロックが前記リングギヤと噛み合うことができ、前記上ベースの中には前記お皿が前後に移動することを制限する阻み部品が設けられ、前記阻み部品が前記上ベースの後端の頂部端面の中に位置する上に開口した突き出溝と、前記突き出溝に連通される後ろに開口した押し溝とを含み、前記突き出溝の中には突き出ブロックがスライドできるように取り付けられ、前記押し溝の中には前記突き出ブロックと係合できる押さえブロックがスライドできるように取り付けられ、前記下ベースの中には机と固定する用の押し固定部品が設置され、前記押し固定部品が左右対称の下に開口した押さえブロック溝と、左右対称の外に開口したＴ型スライド溝とを含み、前記押さえブロック溝の中には中空押さえブロックがスライドできるように取り付けられ、前記Ｔ型スライド溝の中にはＴ型ブロックがスライドできるように取り付けられることを特徴とするひっくり返しを防止する子供用のお皿。
【請求項２】
前記装置本体は前記上ベースの上端面の中に位置する後ろに開口したお皿溝を含み、前記お皿溝の左右側の壁には引っ掛かり溝が対称的に設置され、前記お皿の左右端面には対称的なお皿辺が設置され、前記引っ掛かり溝のサイドウォールにはガイドストッパーが設置され、前記お皿辺が前記ガイドストッパーとスライドできるように係合され、前記阻み部品が前記突き出溝の後側に位置して連通して設置される制限溝Ａを含み、前記突き出溝の後端面には前記制限溝Ａとスライドできるように係合されるストッパーＡが設けられ、前記突き出ブロックの底面と前記突き出溝の底壁との間には圧縮ばねＡが固定的に取り付けられ、前記押し溝の底壁の中には制限溝Ｂが連通して設置され、前記押さえブロックの底部端面には前記制限溝Ｂとスライドできるように係合されるストッパーＢが固定的に取り付けられ、前記ストッパーＢの左端面と前記制限溝Ｂの左側壁との間には圧縮ばねＢが固定的に取り付けられ、前記お皿をスライドさせ、前記突き出ブロックを押して前記お皿を置き、前記突き出ブロックが前記圧縮ばねＡの作用のもとでリセットして前記お皿の後側を遮り、前記お皿が後ろに移動できなく、前記押さえブロックを押して前記突き出ブロックとの係合により前記突き出ブロックを連動して下に移動させ、前記お皿を取り出すことができ、前記押さえブロックから指を放した後、前記圧縮ばねＡと前記圧縮ばねＢの作用のもとでリセットすることを特徴とする請求項１に記載のひっくり返しを防止する子供用のお皿。
【請求項３】
前記連結部材は前記連結溝の中にスライドできるように取り付けられる閉鎖ブロックを含み、前記閉鎖ブロックの端面と前記第一連結溝の頂壁との間には圧縮ばねＣが固定的に取り付けられ、前記連結ヘッドが連結柱を含み、前記連結柱の端部外側には対称的な引っ掛かりピンが設置され、前記引っ掛かりピンが前記固定環状溝とスライドできるように係合されることができ、前記連結回転ブロックの中には、上に開口した、且つ前記連結柱と挿入できるように係合されることができる第二連結溝が設けられ、前記連結ヘッドの両側の前記引っ掛かりピンが前記連結溝の開口の所に位置合わせした後で挿入して上へ押し込み、そして前記連結ヘッドを回転させることにより前記引っ掛かりピンが前記固定環状溝に沿って最も内側に滑り込み、前記連結柱を前記第二連結溝と位置合わせして挿入し、連結を完成させることを特徴とする請求項１に記載のひっくり返しを防止する子供用のお皿。
【請求項４】
前記回転部品は前記第二連結溝のサイドウォールの中にあるつの均一に分布するキー溝を含み、前記連結柱の外側にはつの間隔が同じであり、且つ、前記キー溝と挿入できるように連結できるキー型ブロックが設置され、前記第二連結溝のサイドウォールにはつの均一に分布し、且つ、前記連結回転溝と連通する伸縮溝が設置され、前記伸縮溝の中に伸縮ブロックがスライドできるように取り付けられ、前記伸縮溝の底壁には制限溝Ｃが連通して設置され、前記伸縮ブロックの底部端面には前記制限溝Ｃとスライドできるように係合されるストッパーＣが固定的に取り付けられ、前記ストッパーＣと前記制限溝Ｃのサイドウォールとの間には圧縮ばねＤが固定的に取り付けられ、前記歯型ブロックが前記伸縮ブロックの端面に固定的に取り付けられ、前記連結ヘッドを挿入する時、前記キー型ブロックを前記キー溝と位置合わせして挿入し、前記連結柱が下に移動する時に前記伸縮ブロックを外側に押し動かして移動させ、前記歯型ブロックと前記リングギヤとが噛み合っており、前記連結回転ブロックが回転できず、回転する必要がある時、前記連結ヘッドに上へ一定の距離を移動させることにより、前記キー溝から前記キー型ブロックを外した後で回転することができるようにすることを特徴とする請求項１に記載のひっくり返しを防止する子供用のお皿。
【請求項５】
前記押し固定部品は左右対称的に設置され、左側の前記押し固定部品を例として説明し、前記Ｔ型ブロックの右側端面にはラックＡが設置され、前記中空押さえブロックの左側端面にはラックＢが設置され、前記Ｔ型スライド溝と前記押さえブロック溝との間には噛合チャンバが連通して設置され、前記噛合チャンバの前後内壁の間には連結歯車が回転できるように設置され、前記連結歯車とラックＡとラックＢとが噛み合っており、前記中空押さえブロックの底部端面にはゴム吸盤が固定的に取り付けられ、前記下ベースの底部端面には吸盤湾曲ブロックが固定的に取り付けられ、前記ゴム吸盤が吸盤湾曲ブロックの内壁に密着することができ、前記中空押さえブロックの頂部端面と前記押さえブロック溝の頂壁との間には引っ張りばねが固定的に取り付けられ、前記下ベースを机に置くことができ、前記下ベースを押した後で前記Ｔ型ブロックの水平部分を上へ動かし、前記Ｔ型ブロックを上に移動させ、前記ラックＡと前記連結歯車との噛み合いを通じて前記連結歯車を連動して回転させ、前記連結歯車が噛み合いにより前記中空押さえブロックを連動して下へ移動させて前記ゴム吸盤を前記吸盤湾曲ブロックの中から押し出して机に密着させ、前記中空押さえブロックが下へ押圧し続けるにつれて前記ゴム吸盤の中の空気が押し出され、前記Ｔ型ブロックから指を放した後、前記ゴム吸盤が大気圧の作用のもとで机に密着することを特徴とする請求項１に記載のひっくり返しを防止する子供用のお皿。
【発明の詳細な説明】
【技術分野】
【０００１】
本発明は子供用のお皿分野を取り上げて、具体的にはひっくり返しを防止する子供用のお皿である。
【背景技術】
【０００２】
子供が自分で食事をすることができるまでは少しずつ慣れていく必要があり、多くの子供はやんちゃな性格、また独自で食事する能力がまだないので、一人で食事する時に食器の皿をひっくり返し、片付けることが面倒で食べ物を浪費するため、親が怒りやすく、そして食事する時に食器を支えなければ、子供が食べ物を取る時に皿を遠い所へ押すことがあるので、簡単に食べ物を取れない。そこで、家庭のニーズを満足し、子供が食事する時に便利を与えるために、子供用の皿が必要である。
【先行技術文献】
【特許文献】
【０００３】
【特許文献１】中国特許出願公開第１０７０４８９１０号明細書
【発明の概要】
【発明が解決しようとする課題】
【０００４】
本発明はひっくり返しを防止する子供用のお皿を提供し、従来技術における上記欠点を解消することを目的とする。
【課題を解決するための手段】
【０００５】
本発明のひっくり返しを防止する子供用のお皿は、装置本体を含み、前記装置本体が上ベースと、下ベースと、お皿を含み、前記上ベースと前記下ベースとの間には連結部品を通じて連結され、前記回転部品が連結ヘッドおよび連結回転ブロックを含み、前記下ベースの頂部端面には上に開口した連結回転溝が設けられ、前記連結回転溝底部にはガイドブロックが固定的に取り付けられ、前記連結回転ブロックが連結回転溝の中に挿入できるように取り付けられ、且つ、前記連結回転ブロックが前記ガイドブロックと回転できるように係合され、前記連結ヘッドが前記連結回転ブロックに挿入できるように係合されることができ、前記上ベースの底部端面には下に開口した第一連結溝が設けられ、前記第一連結溝の末端内壁には中心対称の固定環状溝が設けられ、前記第一連結溝および前記固定環状溝が前記連結ヘッドと挿入できるように係合されることができ、前記連結回転ブロックと前記連結回転溝との間には前記上ベースの回転を制御できる回転部品が設置され、前記回転部品が歯型ブロック及び前記連結回転溝の壁に固定的に取り付けられるリングギヤを含み、前記歯型ブロックが前記リングギヤと噛み合うことができ、前記上ベースの中には前記お皿が前後に移動することを制限する阻み部品が設けられ、前記阻み部品が前記上ベースの後端の頂部端面の中に位置する上に開口した突き出溝と、前記突き出溝に連通される後ろに開口した押し溝とを含み、前記突き出溝の中には突き出ブロックがスライドできるように取り付けられ、前記押し溝の中には前記突き出ブロックと係合できる押さえブロックがスライドできるように取り付けられ、前記下ベースの中には机と固定する用の押し固定部品が設置され、前記押し固定部品が左右対称の下に開口した押さえブロック溝と、左右対称の外に開口したＴ型スライド溝とを含み、前記押さえブロック溝の中には中空押さえブロックがスライドできるように取り付けられ、前記Ｔ型スライド溝の中にはＴ型ブロックがスライドできるように取り付けられる。
【０００６】
更の技術プランとしては、前記装置本体は前記上ベースの上端面の中に位置する後ろに開口したお皿溝を含み、前記お皿溝の左右側の壁には引っ掛かり溝が対称的に設置され、前記お皿の左右端面には対称的なお皿辺が設置され、前記引っ掛かり溝のサイドウォールにはガイドストッパーが設置され、前記お皿辺が前記ガイドストッパーとスライドできるように係合され、前記阻み部品が前記突き出溝の後側に位置して連通して設置される制限溝Ａを含み、前記突き出溝の後端面には前記制限溝Ａとスライドできるように係合されるストッパーＡが設けられ、前記突き出ブロックの底面と前記突き出溝の底壁との間には圧縮ばねＡが固定的に取り付けられ、前記押し溝の底壁の中には制限溝Ｂが連通して設置され、前記押さえブロックの底部端面には前記制限溝Ｂとスライドできるように係合されるストッパーＢが固定的に取り付けられ、前記ストッパーＢの左端面と前記制限溝Ｂの左側壁との間には圧縮ばねＢが固定的に取り付けられる。
【０００７】
更の技術プランとしては、前記連結部材は前記連結溝の中にスライドできるように取り付けられる閉鎖ブロックを含み、前記閉鎖ブロックの端面と前記第一連結溝の頂壁との間には圧縮ばねＣが固定的に取り付けられ、前記連結ヘッドが連結柱を含み、前記連結柱の端部外側には対称的な引っ掛かりピンが設置され、前記引っ掛かりピンが前記固定環状溝とスライドできるように係合されることができ、前記連結回転ブロックの中には、上に開口した、且つ前記連結柱と挿入できるように係合されることができる第二連結溝が設けられる。
【０００８】
更の技術プランとしては、前記回転部品は前記第二連結溝のサイドウォールの中にあるつの均一に分布するキー溝を含み、前記連結柱の外側にはつの間隔が同じであり、且つ、前記キー溝と挿入できるように連結できるキー型ブロックが設置され、前記第二連結溝のサイドウォールにはつの均一に分布し、且つ、前記連結回転溝と連通する伸縮溝が設置され、前記伸縮溝の中に伸縮ブロックがスライドできるように取り付けられ、前記伸縮溝の底壁には制限溝Ｃが連通して設置され、前記伸縮ブロックの底部端面には前記制限溝Ｃとスライドできるように係合されるストッパーＣが固定的に取り付けられ、前記ストッパーＣと前記制限溝Ｃのサイドウォールとの間には圧縮ばねＤが固定的に取り付けられ、前記歯型ブロックが前記伸縮ブロックの端面に固定的に取り付けられる。
【０００９】
更の技術プランとしては、前記押し固定部品は左右対称的に設置され、左側の前記押し固定部品を例として説明し、前記Ｔ型ブロックの右側端面にはラックＡが設置され、前記中空押さえブロックの左側端面にはラックＢが設置され、前記Ｔ型スライド溝と前記押さえブロック溝との間には噛合チャンバが連通して設置され、前記噛合チャンバの前後内壁の間には連結歯車が回転できるように設置され、前記連結歯車とラックＡとラックＢとが噛み合っており、前記中空押さえブロックの底部端面にはゴム吸盤が固定的に取り付けられ、前記下ベースの底部端面には吸盤湾曲ブロックが固定的に取り付けられ、前記ゴム吸盤が吸盤湾曲ブロックの内壁に密着することができ、前記中空押さえブロックの頂部端面と前記押さえブロック溝の頂壁との間には引っ張りばねが固定的に取り付けられる。
【発明の効果】
【００１０】
本発明の有益な効果は：本発明は構造が簡単で、操作が便利で、下ベースがゴム吸盤を通じて机の上に密着することができ、子供が使用する時に下ベースを押して移動させることができない、子供がお皿を押し動かすことを防止し、上ベースと下ベースの間が連結された後、上下に移動でき、回転はできなく、回転する必要がある時に上ベースを上へ移動させてから回転することができる。そのため、子供がお皿を使用する時に、お皿が倒れなく、且つ移動できない。保護者がそばでお皿を回すことだけを助ければよく、家庭のニーズを満足し、普及する価値がある。
【図面の簡単な説明】
【００１１】
【図１】図１は本発明の全体構成模式図
【図２】図２は図１の中のＡにおける拡大模式図
【図３】図３は図１の中のＢにおける拡大模式図
【図４】図４は図２の中のＣ−Ｃ方向の断面構成模式図
【図５】図５は図２の中のＤにおける拡大模式図
【図６】図６は図５の中のＥにおける拡大模式図
【図７】図７は図５の中のＦ−Ｆ方向の断面構成模式図
【図８】図８は図５の中のＧ方向の模式図
【図９】図９は連結ヘッドの構成模式図
【発明を実施するための形態】
【００１２】
以下に図１〜９を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜９を参照し、本発明のひっくり返しを防止する子供用のお皿は、装置本体９０１を含み、前記装置本体９０１が上ベース１０と、下ベース１６と、お皿１１を含み、前記上ベース１０と前記下ベース１６との間には連結部品９０２を通じて連結され、前記回転部品９０２が連結ヘッド８０１および連結回転ブロック３０を含み、前記下ベース１６の頂部端面には上に開口した連結回転溝２８が設けられ、前記連結回転溝２８底部にはガイドブロック３９が固定的に取り付けられ、前記連結回転ブロック３０が連結回転溝２８の中に挿入できるように取り付けられ、且つ、前記連結回転ブロック３０が前記ガイドブロック３９と回転できるように係合され、前記連結ヘッド８０１が前記連結回転ブロック３０に挿入できるように係合されることができ、前記上ベース１０の底部端面には下に開口した第一連結溝４１が設けられ、前記第一連結溝４１の末端内壁には中心対称の固定環状溝４４が設けられ、前記第一連結溝４１および前記固定環状溝４４が前記連結ヘッド８０１と挿入できるように係合されることができ、前記連結回転ブロック３０と前記連結回転溝２８との間には前記上ベース１０の回転を制御できる回転部品９０３が設置され、前記回転部品９０３が歯型ブロック３７及び前記連結回転溝２８の壁に固定的に取り付けられるリングギヤ３８を含み、前記歯型ブロック３７が前記リングギヤ３８と噛み合うことができ、前記上ベース１０の中には前記お皿１１が前後に移動することを制限する阻み部品９０５が設けられ、前記阻み部品９０５が前記上ベース１０の後端の頂部端面の中に位置する上に開口した突き出溝５１と、前記突き出溝５１に連通される後ろに開口した押し溝６０とを含み、前記突き出溝５１の中には突き出ブロック５０がスライドできるように取り付けられ、前記押し溝６０の中には前記突き出ブロック５０と係合できる押さえブロック５４がスライドできるように取り付けられ、前記下ベース１６の中には机と固定する用の押し固定部品９０４が設置され、前記押し固定部品９０４が左右対称の下に開口した押さえブロック溝２６と、左右対称の外に開口したＴ型スライド溝１７とを含み、前記押さえブロック溝２６の中には中空押さえブロック２５がスライドできるように取り付けられ、前記Ｔ型スライド溝１７の中にはＴ型ブロック１８がスライドできるように取り付けられる。
【００１４】
有益的には、前記装置本体９０１は前記上ベース１０の上端面の中に位置する後ろに開口したお皿溝１３を含み、前記お皿溝１３の左右側の壁には引っ掛かり溝１２が対称的に設置され、前記お皿１１の左右端面には対称的なお皿辺１４が設置され、前記引っ掛かり溝１２のサイドウォールにはガイドストッパー１５が設置され、前記お皿辺１４が前記ガイドストッパー１５とスライドできるように係合され、前記阻み部品９０５が前記突き出溝５１の後側に位置して連通して設置される制限溝Ａ５３を含み、前記突き出溝５１の後端面には前記制限溝Ａ５３とスライドできるように係合されるストッパーＡ５２が設けられ、前記突き出ブロック５０の底面と前記突き出溝５１の底壁との間には圧縮ばねＡ５８が固定的に取り付けられ、前記押し溝６０の底壁の中には制限溝Ｂ５６が連通して設置され、前記押さえブロック５４の底部端面には前記制限溝Ｂ５６とスライドできるように係合されるストッパーＢ５５が固定的に取り付けられ、前記ストッパーＢ５５の左端面と前記制限溝Ｂ５６の左側壁との間には圧縮ばねＢ５７が固定的に取り付けられ、これによりお皿１１をスライドさせ、突き出ブロック５０を押してお皿１１を置き、突き出ブロック５０が圧縮ばねＡ５８の作用のもとでリセットしてお皿１１の後側を遮り、お皿１１が後ろに移動できなく、押さえブロック５４を押して突き出ブロック５０との係合により突き出ブロック５０を連動して下に移動させ、お皿１１を取り出すことができ、押さえブロック５４から指を放した後、圧縮ばねＡ５８と圧縮ばねＢ５７の作用のもとでリセットする。
【００１５】
有益的には、前記連結部材９０２は前記連結溝４１の中にスライドできるように取り付けられる閉鎖ブロック４２を含み、前記閉鎖ブロック４２の端面と前記第一連結溝４１の頂壁との間には圧縮ばねＣ４３が固定的に取り付けられ、前記連結ヘッド８０１が連結柱４５を含み、前記連結柱４５の端部外側には対称的な引っ掛かりピン４７が設置され、前記引っ掛かりピン４７が前記固定環状溝４４とスライドできるように係合されることができ、前記連結回転ブロック３０の中には、上に開口した、且つ前記連結柱４５と挿入できるように係合されることができる第二連結溝３２が設けられ、これにより連結ヘッド８０１の両側の引っ掛かりピン４７が連結溝４１の開口の所に位置合わせした後で挿入して上へ押し込み、そして連結ヘッド８０１を回転させることにより引っ掛かりピン４７が固定環状溝４４に沿って最も内側に滑り込み、連結柱４５を第二連結溝３２と位置合わせして挿入し、連結を完成させる。
【００１６】
有益的には、前記回転部品９０３は前記第二連結溝３２のサイドウォールの中にある４つの均一に分布するキー溝３１を含み、前記連結柱４５の外側には４つの間隔が同じであり、且つ、前記キー溝３１と挿入できるように連結できるキー型ブロック４６が設置され、前記第二連結溝３２のサイドウォールには４つの均一に分布し、且つ、前記連結回転溝２８と連通する伸縮溝３４が設置され、前記伸縮溝３４の中に伸縮ブロック３３がスライドできるように取り付けられ、前記伸縮溝３４の底壁には制限溝Ｃ４０が連通して設置され、前記伸縮ブロック３３の底部端面には前記制限溝Ｃ４０とスライドできるように係合されるストッパーＣ３５が固定的に取り付けられ、前記ストッパーＣ３５と前記制限溝Ｃ４０のサイドウォールとの間には圧縮ばねＤ３６が固定的に取り付けられ、前記歯型ブロック３７が前記伸縮ブロック３３の端面に固定的に取り付けられ、これにより連結ヘッド８０１を挿入する時、キー型ブロック４６をキー溝３１と位置合わせして挿入し、連結柱４５が下に移動する時に伸縮ブロック３３を外側に押し動かして移動させ、歯型ブロック３７とリングギヤ３８とが噛み合っており、連結回転ブロック３０が回転できず、回転する必要がある時、連結ヘッド８０１に上へ一定の距離を移動させることにより、キー溝３１からキー型ブロック４６を外した後で回転することができるようにする。
【００１７】
有益的には、前記押し固定部品９０４は左右対称的に設置され、左側の前記押し固定部品９０４を例として説明し、前記Ｔ型ブロック１８の右側端面にはラックＡ２０が設置され、前記中空押さえブロック２５の左側端面にはラックＢ２２が設置され、前記Ｔ型スライド溝１７と前記押さえブロック溝２６との間には噛合チャンバ２９が連通して設置され、前記噛合チャンバ２９の前後内壁の間には連結歯車２１が回転できるように設置され、前記連結歯車２１とラックＡ２０とラックＢ２２とが噛み合っており、前記中空押さえブロック２５の底部端面にはゴム吸盤２４が固定的に取り付けられ、前記下ベース１６の底部端面には吸盤湾曲ブロック１９が固定的に取り付けられ、前記ゴム吸盤２４が吸盤湾曲ブロック１９の内壁に密着することができ、前記中空押さえブロック２５の頂部端面と前記押さえブロック溝２６の頂壁との間には引っ張りばね２７が固定的に取り付けられ、これにより下ベース１６を机に置くことができ、下ベース１６を押した後でＴ型ブロック１８の水平部分を上へ動かし、Ｔ型ブロック１８を上に移動させ、ラックＡ２０と連結歯車２１との噛み合いを通じて連結歯車２１を連動して回転させ、連結歯車２１が噛み合いにより中空押さえブロック２５を連動して下へ移動させてゴム吸盤２４を吸盤湾曲ブロック１９の中から押し出して机に密着させ、中空押さえブロック２５が下へ押圧し続けるにつれてゴム吸盤２４の中の空気が押し出され、Ｔ型ブロック１８から指を放した後、ゴム吸盤２４が大気圧の作用のもとで机に密着し、下ベース１６を取る必要がある時にゴム吸盤２４の側部からゴム吸盤２４をひっくり返し、空気が流入した後でゴム吸盤２４が机に密着しなく、引っ張りばね２７の作用のもとで中空押さえブロック２５を上に引っ張り、ゴム吸盤２４が吸盤湾曲ブロック１９の中に戻り、且つ、底部が凹んでいる。
【００１８】
使用する時、まず下ベース１６を取り付け、下ベース１６を机の上に置き、押し固定部品９０４を押すことにより、大気圧の作用のもとでゴム吸盤２４を机に密着させ、そして、上ベース１０と下ベース１６を連結させ、連結ヘッド８０１の両側の引っ掛かりピン４７を連結溝４１の開口の所と位置合わせして挿入した後で上へ押し込み、その後連結ヘッド８０１を回転させることにより引っ掛かりピン４７が固定環状溝４４に沿って最も内側に滑り込み、連結柱４５を第二連結溝３２と位置合わせして挿入し、連結を完成させ、お皿１１をスライドさせ、突き出ブロック５０を押してお皿１１を置き、突き出ブロック５０が圧縮ばねＡ５８の作用のもとでリセットしてお皿１１の後側を遮り、お皿１１が後ろに移動できなく、子供がお皿を使用する時にお皿を回転させ、移動させ、あるいは引っくり返すことができない。
【００１９】
本発明の有益な効果は：本発明は構造が簡単で、操作が便利で、下ベースがゴム吸盤を通じて机の上に密着することができ、子供が使用する時に下ベースを押して移動させることができない、子供がお皿を押し動かすことを防止し、上ベースと下ベースの間が連結された後、上下に移動でき、回転はできなく、回転する必要がある時に上ベースを上へ移動させてから回転することができる。そのため、子供がお皿を使用する時に、お皿が倒れなく、且つ移動できない。保護者がそばでお皿を回すことだけを助ければよく、家庭のニーズを満足し、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175052.tif 000003
【図２】
2020175052.tif 000004
【図３】
2020175052.tif 000005
【図４】
2020175052.tif 000006
【図５】
2020175052.tif 000007
【図６】
2020175052.tif 000008
【図７】
2020175052.tif 000009
【図８】
2020175052.tif 000010
【図９】
2020175052.tif 000011